(57)【要約】  【課題】硬度、重量、温度等の異なる物品を分別して収納可能とし、上側の物品の重みにより下側の物品が変形等を生じることを防止する。  【解決手段】買物袋１５内を水平仕切部１９により上下二段に仕切って収納部１６，１７を形成する。各収納部１６，１７には開閉自在な開口部２１，２４を設ける。下段開口部２４は両端が左右両面部後端に至るように水平方向に形成し、下段開口部２４の開閉具２４ａとしてファスナー又はチャックを設ける。前記下段収納部１７内には、所要強度を有するフレーム２５を配設する。フレーム２５は下段収納部１７の形状に対応する形状を有し、下段収納部１７の形状強度を一定に補強保持する。【選択図】  図１
2005245781.tif 000002
【特許請求の範囲】
【請求項１】
手押し車の台座上に載置されるように構成された買物袋であって、前記買物袋は上下段に仕切られて複数の収納部が形成され、且つ、各収納部には開閉自在な開口部が設けられていることを特徴とする買物袋。
【請求項２】
上記下段部の収納部内には、該収納部の形状を保持するためのフレームが配設されていることを特徴とする請求項１記載の買物袋。
【請求項３】
上記下段部の収納部内に配設されるフレームに代え、箱形の支持体が設けられていることを特徴とする請求項１記載の買物袋。
【請求項４】
上記下段部の収納部に設けられた開閉自在の開口部は水平方向に形成されると共に、該開口部にはファスナーが設けられていることを特徴とする請求項１、２又は３に記載の買物袋。
【発明の詳細な説明】
【技術分野】
【０００１】
本発明は、手引き車の台座上に載置されるように構成された買物袋に関するものであり、特に、買物袋内を上下段に仕切って、硬度、重量、温度等の異なる複数の物品を種類別に分離して収納できるようにした買物袋に関するものである。
【背景技術】
【０００２】
従来、買物客が使用する買物用手引き車は下部に台座を有し、台座の上に買物袋を載置し、買物袋の中に食品や日用品などの物品（購入物品）を順次収納して運べるようにしている。
【０００３】
上記買物袋の構造は、特許文献１に記載されているように上下方向に細長く、該買物袋の上部に開口部が一箇所のみ形成され、買物袋の内部全体が一つの深い収納スペースとして形成されている。
【特許文献１】特開２００２−２２５７１９号公報（図２）
【発明の開示】
【発明が解決しようとする課題】
【０００４】
上記買物袋は、全体が一つの収納スペースを有するように形成されているので、店舗内で購入した物品を一箇所の収納部に購入順に収納しなければならず、物品の硬度、重量、温度等が異なる場合、次のような問題があった。即ち、例えば軟らかい物品を購入した後に重い物品を購入したときは、軟らかい物品を買物袋内の下部ス−スに収納した後に、その上に重い物品が積み重ねられることになる。そのため、下側に収納された軟らかい物品が上側の重い物品によって圧迫され、下側の物品が変形したり、あるいは押し潰されたりすることがある。
【０００５】
又、買物客が冷たい物品と温かい物品を購入したときは、温度差の大きい複数の物品が、一つの収納部の中に混在して収納されることになる。この場合、冷たい物品の温度が早期に上昇し、且つ、温かい物品の温度が早期に低下するという不具合が生じる。
【０００６】
そこで、上記硬度、重量又は温度等の異なる物品を買物袋に収納する場合、各物品相互の重なりによって各物品の品質が低下しないようにするために解決されるべき技術的課題が生じてくるのであり、本発明は該課題を解決することを目的とする。
【課題を解決するための手段】
【０００７】
本発明は上記目的を達成するために提案されたものであり、請求項１記載の発明は、手押し車の台座上に載置されるように構成された買物袋であって、前記買物袋は上下段に仕切られて複数の収納部が形成され、且つ、各収納部には開閉自在な開口部が設けられている買物袋を提供する。
【０００８】
この構成によれば、買物袋を上下段に仕切って複数の収納部を設けるようにしたので、各収納部には物性や種類等の異なる物品、例えば硬度、重量、温度等の異なる複数の物品を分別して収納することができる。従って、軟らかい物品を購入した後に、重い物品を購入した場合には、重い物品を下段部の収納部に収納し、且つ、軟らかい物品を上段部の収納部に収納することができる。又、買物客が冷たい物品と温かい物品を購入したときでも、温度差の異なる複数の物品を上下各段の収納部の中に分離して収納できるので、冷たい物品の温度が早期に上昇することを防止できると共に、温かい物品の温度が早期に低下することを防止できる。
【０００９】
請求項２記載の発明は、上記下段部の収納部内には、該収納部の形状を保持するためのフレームが配設されている買物袋を提供する。
【００１０】
この構成によれば、フレームにより下段の収納部の立体形状が一定に保持される。このため、上段部の収納部に多数の物品を収納して重量が増しても、その重みによって仕切部が下方に移動したり撓むことがない。従って、下段部の収納部内の形状は原形のまま保持され、該下段部の収納部内に収納されている物品が変形したり、押し潰されることがなくなる。
【００１１】
請求項３記載の発明は、上記下段部の収納部内に配設されるフレームに代え、箱形の支持体が設けられている買物袋を提供する。
【００１２】
この構成によれば、下段部の収納部内に箱形の支持体が設けられているので、請求項２記載の下段部の収納部に対する形状保持作用を一層助成させることができる。
【００１３】
請求項４記載の発明は、上記下段部の収納部に設けられた開閉自在の開口部は水平方向に形成されると共に、該開口部にはファスナーが設けられている買物袋を提供する。
【００１４】
この構成によれば、下段部の収納部の開口部には、開閉自在のファスナーが水平方向に設けられているので、該開口部の操作を簡便に実施でき、水平方向両端における物品の出入れ空間が拡大し、該物品の出入れを簡便容易に行うことができる。又、前記ファスナーに代え、マジックテープやホック等を用いてもよい。この場合、前記ファスナーと同様の効果を奏する。
【発明の効果】
【００１５】
請求項１記載の発明は、上下段に仕切られた各収納部には、硬度、重量、温度等の異なる各物品を分別して収納できる。従って、上段部の収納部に軟らかい物品や軽い物品を収納し、且つ、下段部の収納部に硬い物品や重い物品を収納することにより、軟らかい物品や軽い物品が上段側の物品の重みによって変形したり、押し潰されることを確実に防止できる。
【００１６】
請求項２記載の発明は、下段部の収納部の形状がフレームにより一定に保持されるので、上記請求項１の発明の効果に加えて、上段部の収納部内に多数の物品を収納した場合でも、該上段部の収納部内の物品の重みによって、下段部の収納部の形状が変形することがなく、下段部の収納部内の物品が圧迫を受けることを防止できる。
【００１７】
請求項３記載の発明は、下段部の収納部内に箱形の支持体を設けたので、上記請求項１の発明の効果に加えて、下段部の収納部の剛性強度が一層増大し、該収納部の形状保持力を更に高めることができ、収納スペースが大きい大型の買物袋についても、本発明を幅広く適用することができるメリットがある。
【００１８】
請求項４記載の発明は、下段部の収納部の開口部にファスナーを水平方向に設けたので、上記請求項１、２又は３の発明の効果に加えて、下段側開口部の開閉操作を簡便に行うことができるのみならず、物品の出入れ作業を一層容易迅速に行うことができるという効果を奏する。
【発明を実施するための最良の形態】
【００１９】
本発明は、硬度、重量、温度等の異なる複数の各物品相互の重なりによって、各物品の品質が低下しないようにするために、買物袋を上下段に仕切って複数の収納部を形成し、
各収納部には開閉自在な開口部を設け、下段収納部内には、該下段収納部の形状を保持するためのフレーム又は支持体を配設し、更に、下段開口部は水平方向に形成すると共にファスナーを設けることにより実現した。
【実施例】
【００２０】
以下、本発明の一実施の形態を図１乃至図６に従って説明する。図中、１は買物用手押し車であり、該手引き車１は、縦長の矩形をなす本体部２と、該本体部２の下部前方に突出して設けられた台座３とを備えている。前記本体部２は、上下方向に延びる左右一対の鉛直パイプ２ａと、該一対の鉛直パイプ２ａの上端間を連結する逆Ｕ状の把手部２ｂとから成り、該把手部２ｂの外周には、蛇腹状の合成樹脂部材が被覆されている。又、前記台座３は、補強リブを有する平面視コ字形の枠体から成り、該台座３の基部は、一対の鉛直パイプ２ａの下方部に枢着されている。斯くして、該台座３は水平状態から鉛直パイプ２ａ側に起立状態に折畳み可能とされ、前記水平状態に於いて、台座３の上に後述の買物袋１５が載置されている。
【００２１】
又、左右一対の鉛直パイプ２ａ中間部には水平リブ４ｂ，４ｃが設けられており、左右一対の鉛直パイプ２ａ下端部間には、水平リブを兼ねる車軸６が掛け渡されている。該車軸６の両端部には、左右一対のキャスター７，７が回動自在に取り付けられている。
【００２２】
そして、前記台座３の前部内側には、手引き車１の移動を阻止するパーキングスタンド１０の基部が水平軸回りに回動可能に枢着されている。斯くして、該パーキングスタンド１０は、前記台座３に対して直立位置から水平位置に折畳み可能に取り付けられ、該パーキングスタンド１０と鉛直パイプ２ａの下端部との間には左右一対の補強リブ１１，１１が枢着されている。又、前記台座３の前面には、図１に示すように、先端に切欠凹部を有するロックレバー１３が、ピンにより回動可能に取り付けられ、該切欠凹部に前記パーキングスタンド１０の水平部を係合させることにより、パーキングスタンド１０を起立位置にロック保持できるようになっている。
【００２３】
更に、前記台座３の上には、手提げ紐９を有する可撓性合成樹脂シート製の買物袋１５が載置され、該買物袋１５は正面視略長方形に形成されている。又、買物袋１５の背面における上部側及び左右両側の適所には、図２に示すように、ホック１４ａを有する取付用帯１４が合計６個止着され、該帯１４を前記水平リブ４ａ及び鉛直パイプ２ａに巻回してホック止めすることにより、前記買物袋１５は手引き車１の本体部２に対して着脱自在に固定されている。該買物袋１５は、水平仕切部１９により上下二段に仕切られ、該水平仕切部１９の上段部側に上段収納部１６が形成されており、該水平仕切部１９の下段部側には直方体状の下段収納部１７が形成されている。
【００２４】
そして、図３に示すように、前記上段収納部１６の上端部分には開閉自在な上段開口部２１が形成され、該上段開口部２１は、その全周部の穴に挿通された紐２２を締めることにより、開閉自在に閉鎖できるようになっている。又、上段収納部１６の上端には、上段開口部２１を覆うカバー５が設けられ、該上段収納部１６の下底部には硬質樹脂シート製の上段底板２０が敷設されている。
【００２５】
一方、上記下段収納部１７の上辺部には、開閉自在な下段開口部２４が水平方向に延びて設けられ、該下段開口部２４の左右両側先端は、下段収納部１７の左右両側後方端まで達している。本実施例では、該下段開口部２４の開閉具２４ａとしてファスナー又はチャックが使用されている。
【００２６】
又、前記下段収納部１７の底部には硬質合成樹脂シート製の下段底板２６が敷設され、該下段収納部１７内には、図４に示す如く、該下段収納部１７の形状を保持するための枠
状のフレーム２５が配設されている。該フレーム２５の形状は、下段収納部１７の立体形状と対応する外形に形成され、フレーム２５の素材としては、高い剛性を有する大径の金属線材が使用されている。該フレーム２５の具体的構成は、同図に示す如く、縦横方向に延びるリブ２７，２８で補強された矩形の枠体２９と、該枠体２９の左右両側の下面に連結されたコ字形部材３０，３１と、該左右両側のコ字形部材３０，３１の後方下端部間に連結された下部連結部材３２とから形成されている。
【００２７】
本実施例では、買物袋１５内の収納スペ−スを水平仕切部１９により上段収納部１６と下段収納部１７とに上下区画したので、各収納部１６，１７には硬度、重量、温度等の異なる物品Ｗ１，Ｗ２を各々分別して収納することができる。例えば、上段収納部１６内には軟らかい物品、軽い物品、温かい物品を収納し、且つ、下段収納部１７内には硬い物品、重い物品、冷たい物品を収納することができる。
【００２８】
ここに、前記硬い物品としては缶詰、根菜、果実等が挙げられ、前記軟らかい物品としては豆腐、卵、魚、野菜等が挙げられる。又、前記重い物品としては粉物、瓶物、穀物等が挙げられ、前記軽い物品としてはパン、菓子等が挙げられる。更に、前記温かい物品としては惣菜、揚げ物等が挙げられ、前記冷たい物品としては冷凍食品、冷菓等が挙げられる。斯して、軟らかい物品や軽い物品を上段収納部１６に収納し、且つ、硬い物品や重い物品を下段収納部１７に収納することにより、軟らかい物品や軽い物品が変形したり、押し潰されたりすることを防止できる。
【００２９】
又、下段収納部１７を所定形状に保持するフレーム２５は、高い剛性を有する大径の金属線材から成るので、該フレーム２５によって下段収納部１７の形状保持力が一層高められる。斯くして、上段収納部１６に多数の物品Ｗ１を収納しても、水平仕切部１９が下方に撓むようなことがない。従って、下段収納部１７は原形を保持して所定の収納スペースを維持できるため、該下段収納部１７内の物品Ｗ２が前記上段収納部１６内の物品Ｗ１の重みによって圧迫を受けることはない。
【００３０】
更に、本実施例では、下段開口部２４には、水平方向のファスナーを下段開口部２４の左右両側後端部まで延設している。斯して、下段開口部２４の開閉操作が簡便に実行できると共に、該下段開口部２４の水平方向領域における物品挿入用スペースが拡大し、該下段収納部１７内への物品Ｗ２の出入れを容易迅速に行うことができる。
【００３１】
ここで、前記下段収納部１７の内面には、発泡樹脂材等の保温材を貼り付けることもでき、この場合、該下段収納部１７に保温機能が付与されるため、該下段収納部１７内に温かい物品Ｗ２を収納したときでも、該物品Ｗ２の温度が早期に低下することを防止できる。又、該下段収納部１７内に氷袋を入れて使用すれば、該下段収納部１７がそのまま冷蔵ケースとして機能することとなる。
【００３２】
本発明は上記実施例に限定されず、種々の応用変形例が可能である。上記実施例では、下段収納部１７内に上記フレーム２５を配設したが、該下段収納部１７の形状強度を支持できる構造であれば、上記フレーム２５に代えて箱形の下段支持体を採用することができる。例えば、図５に示す如く横断面Ｌ字形の下段支持体３３を配設してもよく、この場合は下段収納部１７の前方側から物品Ｗ２を挿入格納することができる。又、フレーム２５に代えて、図６に示す如く横断面コ字形の下段支持体３４を配設してもよく、この場合は該下段支持体３４の左右両側面に空間部（物品挿入用の窓部）３４ａを設けることが好ましい。斯くして、該下段支持体３４の軽量化を図りつつ、下段開口部２４左右両側に広い物品出入れ用スペースが確保されるので、下段収納部１７の前方側からだけでなく左右両方側からも物品Ｗ２を簡便容易に格納することができ、使う勝手が著しく向上する効果がある。
【００３３】
又、該下段支持体３３，３４の形状は、前記下段収納部１７の形状に対応して籠状、箱状、筒状、角錐台状等の所要形状に形成することができる。更に、前記下段支持体３３，３４としては金属製部材に限定されず、所要強度を有する合成樹脂製部材、木質製部材等を使用してもよい。
【００３４】
尚、本発明は、本発明の精神を逸脱しない限り種々の改変を為すことができ、そして、本発明が該改変されたものに及ぶことは当然である。
【図面の簡単な説明】
【００３５】
【図１】本発明の実施例に係る手引き車に載置された買物袋を示す正面図。
【図２】図１の背面図。
【図３】図１におけるＡ−Ａ線に沿う断面図。
【図４】図３に示されるフレームを拡大して示す斜視図。
【図５】図４のフレームに代わる横断面Ｌ字形の下段支持体を示す斜視図。
【図６】図４のフレームに代わる横断面コ字形の下段支持体を示す斜視図。
【符号の説明】
【００３６】
１        手引き車  
２        本体部
３        台座  
１５      買物袋  
１６      上段収納部
１７      下段収納部
１９      水平仕切部
２０      上段底板  
２１      上段開口部  
２４      下段開口部
２４ａ    開閉具（ファスナー）
２５      フレーム（形状保持用下段支持体）  
２６      下段底板
３３      Ｌ字形下段支持体
３４      コ字形下段支持体
【図１】
2005245781.tif 000003
【図２】
2005245781.tif 000004
【図３】
2005245781.tif 000005
【図４】
2005245781.tif 000006
【図５】
2005245781.tif 000007
【図６】
2005245781.tif 000008